(57)【要約】【課題】キャビネットをなくし、ワークトップ８の位置を床３の近傍位置まで下降可能にし、腰を直接床３におろしワークトップ８の下方に足を伸ばした姿勢や、立った姿勢のいずれの姿勢であっても使用者にとって最適の高さにすることが可能で、完全なバリアフリーにする。【解決手段】  壁面１にレール２３、２４を取り付けたウェブ４を並設している。レール２３、２４に沿って上下動する回転シャフト５を設け、この回転シャフト５の螺棒部にはブラケット２１を螺合している。ブラケット２１にはワークトップ８を取り付けている。シンク２８の排水口と連通する排水管３４、給水口６２、給湯口６３と連通する給水管６４、給湯管６５は、管受け具３６の管受け溝３７内に配設され、壁面１を貫通して屋外へ配設されている。管受け具３６にはガイド溝３８が形成されておりワークトップ８の下面に垂下されているガイド棒３５の下端がスライド自在に取り付けられている。排気筒４０は天井２からレンジ２９の真上に垂下し、フード４３とワークトップ８は連結棒４５で連結されている。【選択図】  図１
2005288105.tif 000002
【特許請求の範囲】
【請求項１】
壁面に左右方向に所定距離離隔し上下方向に延びる１対の平行なガイドレールを並設し、
このガイドレールに、ワークトップ面が水平状態で上下動可能に、キッチンカウンター、レンジ及びシンクを備えたワークトップをスライド可能に取り付け、
天井から上下方向に伸縮動可能な排気筒を垂下させ、該排気筒の下端に設けたフードが前記レンジの真上にて開口するように配設し、
前記シンクと開口連通する伸縮自在な排水管及びシンクに設けた吸水口と連通する伸縮自在な給水管が、前記ワークトップの下方に於いて、正背面方に位置移動することなく、壁面近傍位置にて前記ワークトップとの位置的関連に対応して伸縮動するように構成されてなることを特徴とする昇降式ワークトップ。
【請求項２】
壁面に左右方向に所定距離離隔し上下方向に延びる１対の平行なガイドレールを並設し、
このガイドレールにブラケットをスライド可能に取り付け、前記ブラケットの外側面には外側方に延びるレールを設け、
キッチンカウンター、レンジ及びシンクを備えたワークトップの裏面には摺動子を設け、該摺動子が前記レール上を摺動するように、前記ワークトップを前記ブラケット上に左右動自在に取り付け、
天井から任意方向に伸縮自在な管よりなる排気筒を垂下させ、該排気筒の下端に設けたフードが前記レンジの真上にて開口するように配設し、
前記シンクと開口する伸縮自在な排水管及びシンクに設けた吸水口と連通する伸縮自在な給水管が、前記ワークトップの下方に於いて、正背面方に位置移動することなく、壁面近傍位置にて前記ワークトップとの位置的関連に対応して伸縮動するように構成されてなることを特徴とする昇降式ワークトップ。
【発明の詳細な説明】
【技術分野】
【０００１】  本発明は、建造物内の台所に設けられる下肢障害者用の昇降式ワークトップに関し、更に詳しくは下肢障害者が床面上に直接腰を下ろし足を前方に崩して坐った状態や、車椅子に坐った状態での調理に対応可能な昇降式ワークトップに関する。
【背景技術】
【０００２】  従来、流し台は左右側面板と背面板及び正面側に設けた開閉扉や引き出しとより箱状に形成されたキャビネット上に、レンジ、シンク及びキッチンカウンターを備えたワークトップを前記キャビネットと分離可能に取り付けて、又は一体的に固着して構成したもののみしか存在しない。このような構成の流し台において、昇降式のものとしては、キャビネットの床面との同一高さ位置に載置台若しくは底板を設け、床下部分にＸリンク脚によるリンク機構を設け、キャビネットと共にワークトップを昇降する構成のものが提案されている（例えば、特許文献１及び特許文献２参照）。
上記従来例であるとキャビネットを支承するＸリンク脚を床下に設けるためメンテナンス作業が煩雑であり、上下動の範囲が限られる。又、シンクの下方にキャビネットが配設されているため、健常者が身長に応じて高さを調整し立った姿勢で使用することはできても、バリアフリーになっていないため、下肢障害者が前方に下肢を伸ばして坐って使用をすることや、キャビネット下面と床面との間に段差が形成されるために車椅子に坐って使用をすることができず、下肢障害者の実用には不向きであった。【０００３】  又、キャビネット下部に、キャビネット内側面とスライド可能に昇降装置ケースを設け、この昇降装置ケースを床面に載置し、昇降装置ケースに収納されているパンタグラフ式昇降装置の４箇所のリンク連結部のうちの１箇所をキャビネット床板の下面に取り付け、リンクの起伏に対応してキャビネットをワークトップと共に昇降させるようにしたものが提案されている（例えば、特許文献３及び実用新案文献１参照）。
上記パンタグラフ式昇降機構を用いてキャビネットをワークトップと共に上下動させるものに関しては、パンタグラフ式昇降装置を床面に設置するため、下肢障害者がワークトップの下方に下肢を伸ばした姿勢で使用することができないという欠点があった。【０００４】  又、パンタグラフ式昇降装置をキャビネットの内側に配設し、４箇所のリンク連結部のうちの１箇所をワークトップの下面に取り付け、リンクの起伏動に対応してワークトップがキャビネットとスライドして上下動するように構成されたもの（例えば、特許文献４及び実用新案文献２参照）や、伸縮機構よりなる昇降装置をキャビネット内の左右両端に配設し、キャビネットと一体的に取り付けられたワークトップを昇降装置の伸縮動に対応して上下動するようにした構成のもの（例えば、特許文献５参照）が提案されている。
上記従来例はワークトップをキャビネットより分離し、キャビネットの内側よりワークトップのみを上方へ持ち上げ、ワークトップのみをキャビネット上部にて上下動する構成であるため、昇降装置を収納したキャビネットは必要不可欠であり、ワークトップの下方へ足を伸ばし入れることはできず、下肢障害者の使用には不向きであるという欠点があった。【０００５】  又、実用新案文献３には、固定背板に上下方向に沿ってガイド部を設け、このガイド部に沿って給水管を有する水受けシンク台を上下動可能に取り付け、水受けシンク台の駆動源を水道給水とし、水圧式シリンダのピストンロッドをシンク下面に一体的に固着し、使用者の身長に対応可能な洗顔、洗髪台が記載されている。
実用新案文献３記載の発明は、シンクの背面より上方に延びる防水板をシンクに一体的に取り付け、鏡を設けた取付板を釘等の取付金具で壁面に固着し、シンクは、防水板の上端縁と前記取付板下端縁との短い距離しか上下移動できず、シンク位置を床面近傍位置まで下降させることはできず、腰を直接床面におろして使用するために低位置へのシンクの移動を必要とする下肢障害者の使用には不向きである。
【特許文献１】特開平１０−２６２７５３号公報
【特許文献２】特開平７−３２２９２６号公報
【特許文献３】特開平６−１９７８１８号公報
【特許文献４】特開平３−５７４０７号公報
【特許文献５】特開平９−２０９４２７号公報
【実用新案文献１】
実開昭６３−５８３０号公報
【実用新案文献２】
実開平５−７７３６７号公報
【実用新案文献３】
実開平１−１３１３３６号公報
【発明の開示】
【発明が解決しようとする課題】
【０００６】  本願発明は、キャビネットをなくし、ワークトップの位置を床面近傍位置まで下降可能にし、下肢障害者が車椅子に坐った姿勢或は腰を直接床面におろし足をワークトップ下方に伸ばした姿勢のいずれの姿勢であっても無理なく使用できる昇降式ワークトップを提供することを目的とする。
【課題を解決するための手段】
【０００７】  本願発明のうち請求項１記載の発明は、壁面に左右方向に所定距離離隔し上下方向に延びる１対の平行なガイドレールを並設し、このガイドレールに、ワークトップ面が水平状態で上下動可能に、キッチンカウンター、レンジ及びシンクを備えたワークトップをスライド可能に取り付け、天井から上下方向に伸縮動可能な排気筒を垂下させ、該排気筒の下端に設けたフードが前記レンジの真上にて開口するように配設し、前記シンクと開口連通する伸縮自在な排水管及びシンクに設けた給水口と連通する伸縮自在な給水管が、前記ワークトップの下方に於いて、正背面方に位置移動することなく、壁面近傍位置にて前記ワークトップとの位置的関連に対応して伸縮動するように構成されてなることを特徴とする。
請求項２記載の発明は、壁面に左右方向に所定距離離隔し上下方向に延びる１対の平行なガイドレールを並設し、このガイドレールにブラケットをスライド可能に取り付け、前記ブラケットの外側面には外側方に延びるレールを設け、キッチンカウンター、レンジ及びシンクを備えたワークトップの裏面には摺動子を設け、該摺動子が前記レール上を摺動するように、前記ワークトップを前記ブラケット上に左右動自在に取り付け、天井から任意方向に伸縮自在な管よりなる排気筒を垂下させ、該排気筒の下端に設けたフードが前記レンジの真上にて開口するように配設し、前記シンクと開口する伸縮自在な排水管及びシンクに設けた給水口と連通する伸縮自在な給水管が前記ワークトップの下方に於いて、正背面方に位置移動することなく、壁面近傍位置にて前記ワークトップとの位置的関連に対応して伸縮動するように構成されてなることを特徴とする。
【発明の効果】
【０００８】  本発明はワークトップのみが上下動し、従来のように側板及び正面扉を有するキャビネットがない構成であるため、完全なバリアフリーとなり、下肢障害者がワークトップの下方に足を伸ばし入れることや、車椅子に坐った状態で膝から下の部分を入れることができ、下肢障害者の実用に適する。
又、排水管及び給水管を、ワークトップ下方における壁面近傍で伸縮動させる構成であるので、下肢をワークトップの下方に伸ばし入れても排水管及び給水管が下肢に当たることがない。
又、ガイドレールに沿ってワークトップを床面より上方３０ｃｍ程度の位置まで下降可能なため、車椅子に坐った姿勢であっても直接床面に腰をおろし下肢をワークトップ下方に伸ばし入れた姿勢であっても、使用者の姿勢に応じて最適な高さ位置にワークトップを移動配置させることができるという効果がある。
又、ワークトップにフードやキッチンラックが一定長の連結棒で支持されているので、ワークトップの高さ如何に拘わらずワークトップ面とフードやキッチンラックとの距離が常に一定であり、作業能率が向上する。
【発明を実施するための最良の形態】
【実施例１】
【０００９】  図１〜図９を参照にして実施例１を説明する。実施例１はワークトップが上下動する昇降式ワークトップの一例を示したものである。
壁面１には、天井２から床３に亘たりウェブ４を左右方向に所定距離を有して平行な位置関係となるように並設されている。回転シャフト５の上端には、夫々ギア６、７を一体的に取り付けている。ワークトップ８に設けたスイッチ９の入により、モーター１０は駆動し、モーター１０の動力を減速装置１１を介してギア６、７に伝達し、ギア６、７と回転シャフト５が同期回転するように形成されている。減速装置１１には、例えばウォームギアを用いることが考えられる。回転シャフト５の下部には、周面に半径外側方に突出する係止突起１２を周方向に沿って所定間隔を有して設け、ストッパー１３と係止突起１２との係合により、回転シャフト５の回転を停止するように形成されている。回転シャフト５に於ける中途部位から係止突起形成部に亘たる範囲は、周面が螺子切りされた螺棒に形成されている。この螺子切り形成範囲は、ワークトップ８の昇降範囲であればよく、具体的には床面上から２０〜７０ｃｍ程度の範囲が螺子切りされていればよい。回転シャフト５の下端にはベアリング１４を設け、基台１５内に回転シャフト５の下端を回転自在に取り付けている。
図７〜図９を参照にして回転シヤフト５の停止機構の一例を説明すると、ストッパー１３に板バネ１６を連設し、ストッパー１３の基部を床３に固定貝１７にて固定する。床３にはボックス１８を設け、このボックス１８内にバネ１９の復元力でボックス１８内のロックキー６１を上方へ反り返らせ、ストッパー１３を回転シャフト５の方向へ付勢させて、係止突起１２をストッパー１３に係止させ、回転シャフト５の回転を停止させる。２０は押圧子である。停止手段は、これに限定しない。
ブラケット２１はワークトップ８を支えるためのものであって、上端面が水平な受面に形成され、後端には内周面が雌螺子に形成された筒体２２を設けている。回転シャフト５の螺棒部分は筒体２２と螺合し、回転シャフト５の回転動によりブラケット２１が上下動するように形成されている。ウェブ４には第１のレール２３と第２のレール２４が取り付けられている。Ｌ形取付棒２５の基端はブラケット２１に固着され、先端には第１のベアリング２６を、屈曲部より基端部側には第２のベアリング２７を取り付けている。第１のレール２３に第１のベアリング２６が、第２のレール２４に第２のベアリング２７が摺接動するように形成されている。
ブラケット２１を上下動させる手段は上述の例に限定しない。ブラケットを取り付けたシャフトをエアシリンダーや油圧により上下動させることや、滑車にベルト、チェーン、ワイヤーを巻回して上下動させることも本願発明に含まれる。又、前記上下動は手動で行うことも本願発明に含まれることは勿論である。【００１０】  １対のブラケット２１の受面にはワークトップ８が載置されている。ワークトップ８の材料は問わないが、繊維強化プラスチックを材料とすることが好ましい。シンク２８、レンジ２９及び平坦面よりなるキッチンカウンター３０を具備している。レンジ２９は電磁調理器を用いることが好適である。ワークトップ８の上面には複数の取付孔３１を凹設し、使用者の使用上の便宜に応じ、所望位置に手摺り３２や身体支持板を嵌め込んで取り付ける。
シンク２８の底面後方位置には排水孔３３が開口され、シンク２８には吸水口６２と給湯口を６３が設けられている。排水孔３３と連通するフレキシブル管よりなる排水管３４は、壁面１を貫通して屋外の排水路と連通している。給水口６２と連通する伸縮自在な給水管６４と、給湯口６３と連通する伸縮自在な給湯管６５は屋外の給水ライン、給湯ラインと連通している。ワークトップ８の下面には垂下する一定長のガイド棒３５を取り付けている。管受け具３６は管受け溝３７及びガイド溝３８を有し、一端を壁面１より正面方に突出する枢軸３９に回転自在に枢着している。管受け溝３７には配水管３４、給水管６４及び給湯管６５が配設されている。ガイド溝３８にはガイド棒３５の先端に形成した突起がスライド自在に取り付けられている。
天井２に於けるレンジ２９の真上位置から排気筒４０が垂下して取り付けられている。排気筒４０は、内筒がフレキシブル管４１で外筒が伸縮自在なスライド管４２よりなる２重構造よりなり、下端にはフード４３が設けられている。フード４３内には排気ファン４４を設けている。フード４３とワークトップ８は連結棒４５で連結されている。ワークトップ８には、排気ファン４４の回転動を開始若しくは停止させるためのスイッチ４６を設けている。４７は排気ファン４４に電力を供給するためのリード線である。４８はスライド式の中継吸気筒であって、上端を天井２に取り付け、下端をフード４３の外周縁近傍にて開口して取り付けている。スライド式の中継吸気筒４８の上部はストレーナ４９を設け、天井付近の空気を排気ファン４４の吸気作用によりストレーナー４９からフード４３を経て排気筒４０から屋外へ排気するようにしている。ワークトップ８の上面には支持棒５９にて支持されたキッチンラック６０を設けることもできる。【００１１】  次に作用について説明する。スイッチ９の入により、モーター１０が駆動し回転シャフト５はギア６、７と同期回転をし、筒体２２は回転シャフト５に沿って下降する。筒体２２と連設されているブラケット２１は下降し、ワークトップ８も下降する。フード４３は連結棒４５によりワークトップ８と連結されているので、排気筒４０及び吸気筒４８も下方へ伸長し、フード４３もレンジ２９の真上にて下降する。ワークトップ８が下降すると、ガイド棒３５の下端がガイド溝３８内を枢軸３９方向へ摺動して下降し、管受け具３６は枢軸３９を回転の中心として床３の方向へ回転動する。ワークトップ８の高さが使用者の好みの高さになると、スイッチ９を切にしモーター１０の駆動を停止する。安全のために、押圧子２０を押し下げ、ロックキー６１を傾斜させ、ストッパー１３に回転シャフト５方向に付勢し、係止突起１２を係止して回転シャフト５の回転を停止させる。下肢障害者は、床に腰を直接おろしワークトップ８の下方に足を伸ばし入れた姿勢で炊事をすることができる。【００１２】  車椅子に坐った状態で使用する場合は、回転シャフト５が先の状態と反対方向に回転するようにスイッチ９を入にし、回転シャフト５の回転によりブラケット２１と共にワークトップ８を上昇させる。ワークトップ８の上昇と共に管受け具３６も枢軸３９を中心に回転動して起き上がる。排気筒４０及び吸気筒４８は、連結棒４５により押し上げられて短縮する。スイッチ９の切により、モーター１０の駆動を停止し、安全のために押圧子２０を押し下げてストッパー１３を係止突起１２に係止し、回転シャフト５の回転を停止させる。下肢障害者は車椅子に坐った状態で、ワークトップ８の下方に車椅子と共に下肢を入れて炊事をすることができる。
【実施例２】
【００１３】  図１０〜図１６を参照にして実施例２について説明する。図中、実施例１と同様の作用をなす部分を同一符号を用いて説明する。実施例２は、ワークトップが上下左右動をする昇降式ワークトップの一例を示すものである。
ブラケット２１の外側面には外側方に延びるレール５０を正背方向に所定距離離隔して設けている。ワークトップ８はシンク２８を中心として左右両側部が正面方に突出した形状に形成されている。ワークトップ８の材料は問わないが、接着剤を用いて所望の形状にすることが可能であるため、繊維強化プラスチックを用いることが好適である。ワークトップ８の下面には縦横に補強フレーム５１を取り付け、横方向のフレーム５１には摺動子５２を取り付けている。摺動子５２はレール５０を走行可能な、例えば車輪を用いることが考えられる。ブラケット２１にはＬ形取付棒５３、５４を固定的に取り付け、Ｌ形取付棒５３、５４の上端に設けたゴムローラ５５、５６をフレーム５１に圧接することで、ワークトップ８の正背面方向への移動や浮き上がりを防止している。ワークトップ８とブラケット２１は、留め具（図示せず）により挟み付けてスライドしないように固定することも考えられる。排気筒５７は伸縮自在な管よりなり、フード４３に開口連通する吸気筒５８の上端開口は天井２の近傍に位置するように形成されている。
【産業上の利用可能性】
【００１４】  ワークトップを洗面台、洗髪台、アイロン台にすることにより、昇降式洗面台、昇降式洗髪台、昇降式アイロン台の用途に適用できる。
【図面の簡単な説明】
【００１５】
【図１】  昇降式ワークトップの正面図である。（実施例１）
【図２】  図１のＡ−Ａ線断面図である。（実施例１）
【図３】  図１の拡大一部切欠左側面図である。（実施例１）
【図４】  ワークトップが下降した状態を示す正面図である。（実施例１）
【図５】  ウェブに回転シャフトを取り付けている状態を示す平面説明図である。（実施例１）
【図６】  回転シャフトの取付状態を示す正面図である。（実施例１）
【図７】  係止突起とストッパーとの関係を示す側面説明図である。（実施例１）
【図８】  係止突起とストッパーとの関係を示す断面平面図である。（実施例１）
【図９】  押圧子と板バネとの作動状態を示す正面図である。（実施例１）
【図１０】  ワークトップ、ブラケット及びレールの構成を示す説明図である。（実施例２）
【図１１】  ワークトップの平面図である。（実施例２）
【図１２】  昇降式ワークトップの正面図である。（実施例２）
【図１３】  ワークトップの左右動状態を示す正面図である。（実施例２）
【図１４】  ワークトップとブラケットとの関係を示す断面側面図である。（実施例２）
【図１５】  ゴムローラでフレームを圧接した状態を示す説明図である。（実施例２）
【図１６】  ゴムローラでフレームを圧接した状態を示す説明図である。（実施例２）
【符号の説明】
【００１６】  １  壁面
２  天井
５  回転シャフト
８  ワークトップ
２１  ブラケット
２３、２４  レール
２８  シンク
２９  レンジ
３０  キッチンカウンター
３４  排水管
４０、５７  排気筒
４３  フード
５０  レール
【図１】
2005288105.tif 000003
【図２】
2005288105.tif 000004
【図３】
2005288105.tif 000005
【図４】
2005288105.tif 000006
【図５】
2005288105.tif 000007
【図６】
2005288105.tif 000008
【図７】
2005288105.tif 000009
【図８】
2005288105.tif 000010
【図９】
2005288105.tif 000011
【図１０】
2005288105.tif 000012
【図１１】
2005288105.tif 000013
【図１２】
2005288105.tif 000014
【図１３】
2005288105.tif 000015
【図１４】
2005288105.tif 000016
【図１５】
2005288105.tif 000017
【図１６】
2005288105.tif 000018